(57)【要約】      （修正有）【課題】コンパクトな構造で且つ、組み付け易い構成のホルダを用いて、立ち基板をメイン基板に対して垂直に保持することが可能な立ち基板固定構造の提供。【解決手段】立ち基板１１をメイン基板に固定する際、立ち基板１１は、固定ホルダ１３を用いてメイン基板に対して垂直に保持されて固定される。このとき、立ち基板１１の下側角部が、固定ホルダ１３の側板に形成された固定用部材１３ｈ、１３ｉの溝に挿入して固定される。【選択図】図４
2008108898.tif 000002
【特許請求の範囲】
【請求項１】
チューナ部が受信した映像信号を信号処理するディジタル基板を、板金製の固定ホルダにてアナログ基板に対して垂直に固定するテレビジョン受信機において、
上記ディジタル基板は、両端部に形成された上側角部と下側角部にて横断面がコ字状の溝部を形成し、
上記固定ホルダは、背板面の両端から垂直方向に延設する側板にてコ字状の凹部を形成するとともに、上記側板にて、上記背板面と上記ディジタル基板とを略水平に対向するよう、上記ディジタル基板の両端部を保持するものであって、
上記側板は、上記背板面から延設する先端より突出する第一の突出片と第二の突出片とを形成するとともに、上記メイン基板の溝に挿入する脚部と、同脚部より外側に突出するツメ部とを有する形状であって、
上記第一の突出片は、上記ディジタル基板の溝穴を形成する下側角部が挿入して上記ディジタル基板と上記背板面とを略水平に対向させて固定する固定用部材を有し、
上記固定用部材は、上記第一の突出片に、上記ディジタル基板が挿入可能な溝穴を形成するとともに、上記突出片の下側より上記溝穴の中ほどにかけて外側に向けて折り曲げることにより形成されるＬ字状の溝を有し、
上記固定ホルダは、上記Ｌ字状の溝に上記ディジタル基板の下側角部を下側から挿入するとともに、上記第二の突出片にて上記ディジタル基板を下側より支持して上記ディジタル基板を保持することを特徴とするテレビジョン受信機。
【請求項２】
固定ホルダを用いて立ち基板をメイン基板に対して垂直に固定して配置する立ち基板固定構造において、
上記立ち基板は、両端部に形成された上側角部と下側角部にて溝部を形成し、
上記固定ホルダは、背板面の両端から垂直方向に延設する側板にてコ字状の凹部を形成するとともに、上記側板にて、上記背板面と上記立ち基板とを略水平に対向するよう上記立ち基板の両端部を保持するものであって、
上記固定ホルダは、上記側板は上記立ち基板の溝部を形成する下側角部が挿入して上記立ち基板を保持する固定用部材を有することを特徴とする立ち基板固定構造。
【請求項３】
上記側板は、上記背板面から延設する先端より突出する第一の突出片と第二の突出片とを有し、
上記固定用部材は、上記第一の突出片に、上記立ち基板が挿入可能な溝穴を形成するとともに、上記第一の突出片を下側より上記溝穴の中ほどにかけて外側に向けて折り曲げることにより、Ｌ字状の溝を形成する形状であって、
上記固定ホルダは、上記立ち基板の下側角部の先端を上記Ｌ字状の溝の下側から挿入するとともに、上記第二の突出辺にて上記立ち基板を下側より支持して、上記立ち基板を保持する構成であることを特徴とする請求項２に記載の立ち基板固定構造。
【請求項４】
上記固定ホルダは、上記メイン基板に形成された溝部に、上記側板下方に形成された脚部を挿入して半田付けする構成であって、
上記脚部は、外側に向けて突出するツメ部を有することを特徴とする請求項２または請求項３のいずれか一項に記載の立ち基板固定構造。
【発明の詳細な説明】
【技術分野】
【０００１】
立ち基板をメイン基板に対して垂直に固定する立ち基板固定構造に対して、特に、固定ホルダを用いて立ち基板をメイン基板に固定する立ち基板固定構造に関する。
【背景技術】
【０００２】
図６は、従来の立ち基板の固定方法を表す図である。同図より、立ち基板１は、固定ホルダ２を用いてメイン基板３に対して垂直に配置されている。図に示した状態で、立ち基板１はメイン基板３と電気的に接続するために、メイン基板３の立ち基板１が配置される側とは逆側を半田付けする。立ち基板１とメイン基板３とを半田付けする方法としては、立ち基板３を垂直に配置した状態でメイン基板３を自動で半田付け機に搬送し、半田付けを行う。
【０００３】
上述した、立ち基板１とメイン基板３との半田付けの際、立ち基板１を、メイン基板３に対して垂直に配置されるよう、固定ホルダ２に対して立ち基板１を垂直に保持する必要がある。また、落下の際の衝撃や振動への耐久性を試験する対特殊試験においても、立ち基板１の耐久性を確保するために、固定ホルダ２にて立ち基板１を確実に保持する必要がある。しかしながら、立ち基板１をメイン基板３に固定ホルダ２を用いて固定する際、立ち基板１に対する固定ホルダ２の取り付けをネジ４等を用いて強固にすると、それだけ組み付けるのに手間がかかることとなる。
【０００４】
立ち基板１をメイン基板３に簡易に取り付ける方法としては、以下のような方法が開示されている。基板を挿入するコの字形溝を設けた一対のリブからなるとともに、一方のリブを可動可能に保持したプリント基板取付機構が開示されている。上記プリント基板取付機構の溝にを基板を挿入した後、プリント基板取付機構と基板とをネジ止めして、立ち基板をメイン基板に対して垂直に固定する。また、このとき可動可能に保持される一方のリブをスライドすることにより、幅の異なる立ち基板を保持可能としている（例えば、特許文献１参照。）。
【０００５】
また、立ち基板をメイン基板に取り付ける他の方法としては、以下のようなものが開示されている。つまり、立ち基板の下方をプラスチックで作られた基板保持具で固定するとともに、基板保持具は、弾力性のある係り止めツメ形状により立ち基板を係止して固定する（例えば、特許文献２参照。）。
【０００６】
さらに、立ち基板をメイン基板に取り付ける他の方法としては、以下のようなものが開示されている。つまり、立ち基板を上方から支える一対の上部腕部材と、立ち基板を下側から支える一対の下部腕部材とを有する基板ホルダが開示されている（例えば、特許文献３参照。）。
【特許文献１】実開平１−１６０８８５
【特許文献２】実開平６−１７２７９
【特許文献３】特開平４−７２６９０
【発明の開示】
【発明が解決しようとする課題】
【０００７】
上述した特許文献１および特許文献２の発明は、次のような課題があった。つまり、上述した発明は、メイン基板と立ち基板とを取り外し可能に保持することを前提としており、メイン基板と立ち基板とを半田付けする立ち基板固定方法には応用することができない。さらに、メイン基板と立ち基板とは、半田層により半田付けされるため、立ち基板の下方を保持するような保持構造は応用することができない。
【０００８】
また、特許文献３の発明は、次のような課題がった。つまり、特許文献３の基板ホルダは、立ち基板の上方と下方を支えることで保持する構成であるため、立ち基板に対して基板ホルダが大きくなり、無駄な部材を使用することとなりコスト高となる。さらに、メイン基板を筺体内に収容した際も無駄なスペースを使用することとなる。
【０００９】
本発明は、上記課題にかんがみてなされたもので、コンパクトな構造で且つ、組み付け易い構成のホルダを用いて、立ち基板をメイン基板に対して垂直に保持することが可能な立ち基板固定構造、および上記立ち基板固定構造を使用したテレビジョン受信機の提供を目的とする。
【課題を解決するための手段】
【００１０】
上記課題を解決するために、本発明の請求項２にかかる発明では、固定ホルダを用いて立ち基板をメイン基板に対して垂直に固定して配置する立ち基板固定構造において、
上記立ち基板は、両端部に形成された上側角部と下側角部にて溝部を形成し、上記固定ホルダは、背板面の両端から垂直方向に延設する側板にてコ字状の凹部を形成するとともに、上記側板にて、上記背板面と上記立ち基板とを略水平に対向するよう上記立ち基板の両端部を保持するものであって、上記側板は上記立ち基板の溝部を形成する下側角部が挿入して上記立ち基板を保持する固定用部材を有する構成としている。
【００１１】
上記のように構成した発明では、立ち基板は、固定ホルダを用いてメイン基板に対して垂直に保持されて固定される。このとき、立ち基板の下側角部が、固定ホルダの側板に形成された固定用部材に挿入して固定される。このため、立ち基板は固定用部材の溝に挿入される簡易な構造にて保持されるとともに、固定ホルダの大きさは、立ち基板の下側角部までの高さを有すればよいため、固定ホルダの高さをコンパクトにすることができる。ゆえに、コンパクトな構造で且つ組み付け易い構成の固定ホルダを用いて、立ち基板をメイン基板に対して垂直に保持することができる。
【００１２】
また、固定ホルダを用いて立ち基板を固定する具体的な構成として、請求項３に記載の発明は、上記側板は、上記背板面より延設する先端に、突出する第一の突出片と第二の突出片を形成する形状であって、上記固定用部材は、上記第一の突出片に、上記立ち基板が挿入可能な溝穴を形成するとともに、上記第一の突出片を下側より上記溝穴の中ほどにかけて外側に向けて折り曲げることにより、Ｌ字状の溝を形成する形状であって、上記固定ホルダは、上記立ち基板の下側角部の先端を上記Ｌ字状の溝の下側から挿入するとともに、上記第二の突出辺にて上記立ち基板を下側より支持して上記立ち基板を保持する構成としている。
【００１３】
上記のように構成した発明では、Ｌ字状の溝を形成した固定用部材の下側からサブ基盤の下側角部を挿入するとともに、第二の突出片にて立ち基板を下側から保持する。これにより、立ち基板は、第一の突出片に形成されたＬ字状の溝にて、立ち基板のプリント面に対して垂直方向の動きを規制されるとともに、第二の突出片にて上下方向の動きを規制されることとなる。これにより、簡易な構成にて、立ち基板を固定ホルダに確実に固定することが可能となる。
【００１４】
そして、立ち基板をメイン基板に固定する具体的な方法の一例として、請求項４に記載の発明は、上記固定ホルダは、上記メイン基板に形成された溝部に、上記側板下方に形成された脚部を挿入して半田付けする構成であって、上記脚部は、外側に向けて突出するツメ部を有する構成としている。
【００１５】
上記のように構成された発明では、固定ホルダに立ち基板を固定した後、固定ホルダの脚部をメイン基板の溝部に挿入する。このとき、脚部には、外側に向けて突出するツメ部を有しているため、溝部に挿入された脚部が確実にメイン基板に固定される。
【００１６】
また、上記課題を解決するための具体的な構成の一例として、請求項１に記載の発明は、チューナ部が受信した映像信号を信号処理するディジタル基板を、板金製の固定ホルダにてメイン基板に対して垂直に固定するテレビジョン受信機において、
上記ディジタル基板は、両端部に形成された上側角部と下側角部にて横断面がコ字状の溝部を形成し、上記固定ホルダは、背板面の両端から垂直方向に延設する側板にてコ字状の凹部を形成するとともに、上記側板にて、上記背板面と上記立ち基板とを略水平に対向するよう、上記立ち基板の両端部を保持するものであって、上記側板は、上記背板面から延設する先端より突出する第一の突出片と第二の突出片とを形成するとともに、上記メイン基板の溝に挿入する脚部と、同脚部より外側に突出するツメ部とを有する形状であって、上記第一の突出片は、上記立ち基板の溝穴を形成する下側角部が挿入して上記立ち基板と上記背板面とを略水平に対向させて固定する固定用部材を有し、上記固定用部材は、上記第一の突出片に、上記立ち基板が挿入可能な溝穴を形成するとともに、上記突出片の下側より上記溝穴の中ほどにかけて外側に向けて折り曲げることにより形成されるＬ字状の溝を有し、上記固定ホルダは、上記Ｌ字状の溝に上記立ち基板の下側角部を下側から挿入するとともに、上記第二の突出片にて上記立ち基板を下側より支持して上記ディジタル基板を保持する構成としている。
【発明の効果】
【００１７】
以上説明したように本発明によれば、コンパクトな構造で且つ、組み付け易い構成のホルダを用いて、立ち基板をメイン基板に対して垂直に保持することができる。
また請求項３にかかる発明によれば、簡易な構成にて、立ち基板を固定ホルダに確実に固定することが可能となる。
そして請求項４にかかる発明によれば、立ち基板をメイン基板に確実に固定することができる。
さらに請求項１のような、より具体的な構成において、上述した請求項２〜請求項４の各発明と同様の作用を奏することはいうまでもない。
【発明を実施するための最良の形態】
【００１８】
以下、下記の順序に従って本発明の実施の形態である立ち基板固定構造の説明を行う。（１）立ち基板固定構造
（１−１）基板固定方法
（１−２）立ち基板の構成
（１−３）固定ホルダの構成
（１−４）立ち基板固定方法
（２）実施の形態
（３）まとめ
【００１９】
（１）立ち基板固定構造
（１−１）基板固定方法
以下、図１〜図４を参照して、この発明に係る立ち基板固定構造１０を説明する。図１は、本発明の立ち基板固定構造１０を表す図である。同図より、立ち基板固定構造１０は、立ち基板１１をメイン基板１２に対して垂直に保持するためのものである。そのため、本発明の立ち基板固定構造１０は、固定ホルダ１３を用いて、立ち基板１１をメイン基板１２に保持する構成としてる。具体的には、固定ホルダ１３と立ち基板１１とを係合した後、メイン基板１２に形成された溝に立ち基板１１と固定ホルダ１３の脚部を挿入して、メイン基板１２に対して垂直に配置する。その後、立ち基板１１は、メイン基板１２の立ち基板１１が配置されない裏面より半田付けされて、メイン基板１２に固定される。
【００２０】
そのため、固定ホルダ１３は、立ち基板１１をメイン基板１２に対して略垂直になるよう固定する必要がある。さらに、立ち基板１１を固定ホルダ１３に固定する際、組み付けが行い易いことが望ましい。そのため、本発明の立ち基板１１と固定ホルダ１３とは以下に説明する構成とし、立ち基板の強度と組み付け易さを向上させている。
【００２１】
（１−２）立ち基板の構成
図２は、本発明の立ち基板の構成を表す斜視図である。同図より、立ち基板１１は、略矩形のプリント面１１ａの両端中ほどに、厚みを同じに形成される上側角部１１ａ１、１１ａ２と、下側角部１１ａ３、１１ａ４とで、溝１１ｂ１、１１ｂ２を形成する構成としている。さらに、プリント面１１ａに下方にメイン基板１２の溝と挿入する脚部１１ｃとを有している。脚部１１ｃは、立ち基板１１をメイン基板１２の溝に挿入して半田付けされることで、立ち基板１１とメイン基板１２とを電気的に接続するためのものである。なお、溝１１ｂ１、１１ｂ２の形成される位置は、後述する固定ホルダ１３の形状に合わせて適宜形成されるものである。
【００２２】
（１−３）固定ホルダの構成
固定ホルダ１３は、立ち基板１１をメイン基板１２に対して略垂直に配置して保持するとともに、固定後の立ち基板１１の強度を補助するためのものである。図３は、固定ホルダ１３の構成を表す斜視図である。同図より、固定ホルダ１３は、背板面１３ａの両端から垂直方向に延設する側板１３ｂ、１３ｃにてコ字状の凹部を形成するとともに、上記形成される凹部の開口側に、背板面１３ａと立ち基板１１とを略水平に対向するよう、側板１３ｂ、１３ｃにて立ち基板１１の両端部を保持するものである。本発明の実施の形態での、固定ホルダ１３を形成する背板面１３ａ、並びに側板１３ｂ、１３ｃの高さは、立ち基板１１を固定した際、立ち基板１１の高さを越えない高さとしている。また、本発明の実施の形態での固定ホルダの材質は、厚みの薄い板金にて形成されているが、材質は固定ホルダ１３の使用に合わせて適宜変更するものとする。
【００２３】
本発明の実施の形態での固定ホルダ１３の形状を説明する。固定ホルダ１３は、背板面１３ａの上方を、側板１３ｂ、１３ｃとで形成したコ字状の凹部の開口側に折り返した、屋根部１３ａ１とを有するとともに、固定ホルダ１３の側板１３ｂ、１３ｃには、背板面１３ａから延設する先端より突出する第一の突出片１３ｄ、１３ｅと第二の突出片１３ｆ、１３ｇとを有する形状である。さらに、第一の突出片１３ｄ、１３ｅには、立ち基板１１の下側角部１１ａ３、１１ａ４とが挿入して保持される固定用部材１３ｈ、１３ｉとを有する構成である。固定用部材１３ｈ、１３ｉの構成としては、第一の突出片１３ｄ、１３ｅに立ち基板１１の下側角部１１ａ３、１１ａ４とが挿入可能な溝穴を形成するとともに、第一の突出片１３ｄ、１３ｅを下側より溝穴の中ほどにかけて外側に向けて折り曲げることにより、Ｌ字状の溝１３ｊ、１３ｋを形成した構成である。
【００２４】
また、側板１３ｂ、１３ｃ下方には、メイン基板１２の溝に挿入して半田付けされる脚部１３ｌ、１３ｍとを有する構成である。さらに、脚部１３ｌ、１３ｍは、側板１３ｂ、１３ｃの外側に向けて突出するツメ部１３ｌ１、１３ｍ１とを有する構成である。ツメ部１３ｌ１、１３ｍ１の形成方法の一例としては、脚部１３ｌ、１３ｍの中ほどをコの字の開口を上側に向けて切り欠くとともに、切り欠いた脚部１３ｌ、１３ｍの内側を切り起こしてツメ部１３ｌ１、１３ｍ１とを形成している。上述したツメ部１３ｌ１、１３ｍ１の形成方法は上述した方法に限定されず、脚部１３ｌ、１３ｍから外側に突出されるよう形成され、メイン基板１２の溝に挿入した際、溝と係合するものであればよい。
【００２５】
（１−４）立ち基板固定方法
上述した、立ち基板１１と固定ホルダ１３とを用いた、メイン基板１２への立ち基板１１の固定方法を説明する。図４は、固定ホルダ１３に固定される、立ち基板１１を表す図である。同図４−ａより、立ち基板１１の下側角部１１ａ３、１１ａ４の上側先端を、固定ホルダ１３の第一の突出片１３ｄ、１３ｅと第二の突出片１３ｆ、１３ｇとの間より、固定用部材１３ｈ、１３ｉのＬ字状の溝１３ｊ、１３ｋの下側から挿入する。続いて、図４−ｂより下側角部１１ａ３、１１ａ４をＬ字状の溝１３ｊ、１３ｋに挿入した状態で、立ち基板１１の下側の辺を、第二の突出片１３ｆ、１３ｇの上側に配置するよう、立ち基板１１を固定ホルダ１３の第一の突出片１３ｄ、１３ｅと第二の突出片１３ｆ、１３ｇとで形成される溝に挿入する。このとき、屋根部１３ａ１の先端が、立ち基板１１との隙間を上側からカバーする。
【００２６】
上述した構成により、図４の４−ｃより立ち基板１１は、固定ホルダの固定用部材１３ｈ、１３ｉに挿入してプリント面１１ａに対して垂直方向の動きを規制されるとともに、下辺を第二の突出片１３ｆ、１３ｇの上側周辺と当接することにより下側から支持される。これにより、立ち基板１１は、プリント面１１ａに対して垂直方向と水平方向の動きを規制されて固定ホルダ１３に保持されることとなる。
【００２７】
さらに、立ち基板１１と固定ホルダ１３とを固定した状態で、立ち基板１１の脚部１１ｃと固定ホルダ１３の脚部１３ｌ、１３ｍとを、メイン基板１２に形成される溝に挿入する。その状態で、立ち基板１１と固定ホルダ１３とを保持したメイン基板１２を、立ち基板が配置されない面を下側にして半田付けする。これにより、下側にした面に半田が付着して立ち基板１１と固定ホルダ１３さらには、メイン基板１２とが半田付けされ、立ち基板１１は、メイン基板１２に対して略垂直に固定される。
【００２８】
（２）実施の形態
上述した立ち基板固定構造１０を用いた実施の形態を以下に説明する。図５は、本発明の立ち基板固定構造１０を使用するテレビジョン受信機３０の構成を表す図である。同図より、テレビジョン受信機３０は、映像を表示する表示器２１と、図示しないアンテナが受信した高周波のテレビジョン放送より希望のチャネルに対応する中間周波数のビデオ信号を抽出するチューナ部２２と、チューナ部２２が抽出したビデオ信号に信号処理を施すディジタル基板２３と、商用電源からの交流電源さらには上記ディジタル基板２３からのビデオ信号を基に、上記表示器に映像を表示するための駆動信号を生成するアナログ基板２４と、上記各構成要素を収容する筺体２５、２６とを有する構成である。
【００２９】
上述した構成により、チューナ部２２が抽出したビデオ信号を基にディジタル基板２３にて映像並びに音声を出力するための信号が生成される。さらに、上記生成した信号と商用電源から供給される電源を基に、アナログ基板２４にて表示器２１に映像を表示するための駆動信号が生成され、表示器２１に出力される。その後、入力された駆動信号に基づいて、表示器２１は映像を表示する。本発明の実施の形態でのテレビジョン受信機３０は、表示器２１をブラウン管型ディスプレイとしている。しかしながら、表示器を実現するものは、ブラウン管型ディスプレイに限定されず、液晶ディスプレイであっても、プラズマディスプレイであってもよい。
【００３０】
上述した実施の形態でのテレビジョン受信機３０は、本発明としての立ち基板固定構造１０の、ディジタル基板２３が立ち基板１１に対応し、アナログ基板２４がメイン基板１２に対応している。そのため、固定ホルダ１３を用いて、ディジタル基板２３がアナログ基板２４に対して垂直に配置されて固定されている。なお、実施の形態でのテレビジョン受信機３０は、本発明での立ち基板固定構造１０を適応することにより、ディジタル基板２３に対して落下による衝撃や、振動に対する耐久性を向上させる他、テレビジョン受信機３０を組み立てる際に、組み立て易くすることが可能となる。
【００３１】
（３）まとめ
以上説明したように、本発明の立ち基板固定構造は、立ち基板１１は、固定ホルダ１３を用いてメイン基板１２に対して垂直に保持されて固定される。このとき、立ち基板１１の下側角部１１ａ３、１１ａ４が、固定ホルダ１３の側板に形成された固定用部材１３ｈ、１３ｉに挿入して固定される。このため、立ち基板１１は固定用部材１３ｈ、１３ｉの溝に挿入される簡易な構造にて保持されるとともに、固定ホルダ１３の大きさは、立ち基板１１の下側角部１１ａ３、１１ａ４を固定するまでの高さを有すればよいため、固定ホルダ１３の高さをコンパクトにすることができる。ゆえに、コンパクトな構造で、且つ組み付け易い構成の固定ホルダを用いて、立ち基板をメイン基板に対して垂直に保持することができる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】本発明の立ち基板固定構造を表す図である。
【図２】本発明の立ち基板の構成を表す斜視図である。
【図３】固定ホルダの構成を表す斜視図である。
【図４】固定ホルダに固定される、立ち基板を表す図である。
【図５】本発明の立ち基板固定構造を使用するテレビジョン受信機の構成を表す図である。
【図６】従来の立ち基板の固定方法を表す図である。
【符号の説明】
【００３４】
１０…立ち基板固定構造、１１…立ち基板、１１ａ…プリント面、１１ａ１、１１ａ２…上側角部、１１ａ３、１１ａ４…下側角部、１１ｂ１、１１ｂ２…溝、１１ｃ…脚部、１２…メイン基板、１３…固定ホルダ、１３ａ…背板面、１３ａ１…屋根部、１３ｂ、１３ｃ…側板、１３ｄ、１３ｅ…第一の突出片、１３ｆ、１３ｇ…第二の突出片、１３ｈ、１３ｉ…固定用部材、１３ｊ、１３ｋ…溝、１３ｌ、１３ｍ…脚部、１３ｌ１、１３ｍ１…ツメ部、２１…表示器、２２…チューナ部、２３…ディジタル基板、２４…アナログ基板、２５、２６…筺体、３０…テレビジョン受信機
【図１】
2008108898.tif 000003
【図２】
2008108898.tif 000004
【図３】
2008108898.tif 000005
【図４】
2008108898.tif 000006
【図５】
2008108898.tif 000007
【図６】
2008108898.tif 000008